(57)【特許請求の範囲】
【請求項１】
湾曲する製品支持面上にシート状のレンズ製品と保護シートとが交互に積み重ねられ、それら積み重ねられたレンズ製品が、所定の枚数を一単位として包装材で包装され、その包装されたレンズ製品の外周がスリーブにて取り囲まれ、そのスリーブの上端開口が蓋で閉じられていることを特徴とするシート状レンズ製品の梱包構造。
【請求項２】
物流用のパレットを含んだ製品載置台を具備し、その製品載置台の前記パレットの上面に前記製品支持面を有する反り台が設けられていることを特徴とする請求項１に記載の梱包構造。
【請求項３】
積み重ねられたレンズ製品の外側に、上下方向に延びる支柱がその積み重ねられたレンズ製品の全高に亘って添えられていることを特徴とする請求項１又は２に記載の梱包構造。
【請求項４】
前記積み重ねられた全てのレンズ製品が前記一単位として前記包装材により包装されていることを特徴とする請求項１〜３のいずれかに記載の梱包構造。
【請求項５】
前記レンズ製品が前記所定の枚数毎に複数の単位に分割され、各単位毎に前記レンズ製品が前記包装材にて包装され、それら包装されたレンズ製品が前記製品支持面上に積み重ねられていることを特徴とする請求項１〜３のいずれかに記載の梱包構造。
【請求項６】
前記積み重ねられたレンズ製品の上面には前記製品支持面と相補的な湾曲を有する上部押えが載置されていることを特徴とする請求項１〜５のいずれかに記載の梱包構造。
【請求項７】
前記レンズ製品が載置される反り板と、その反り板を支持する支持手段とを具備し、前記レンズ製品の自重により前記反り板が湾曲してその上面が前記製品支持面として機能するように、前記支持手段による前記反り板の支持高さが当該反り板の当該反り板の両側縁部よりも中央部で低く設定されていることを特徴とする請求項１に記載の梱包構造。
【請求項８】
底板と、その底板の上面の外周に配置される支持枠と、その支持枠の内側に配置される反り板とをそれぞれ複数ずつ具備し、前記支持枠の上面に他の底板が載置されることによってこれら底板、支持枠及び反り板が複数段に亘って積み重ねられるとともに、それら積み重ねられる反り板のそれぞれの上面には前記所定の枚数のレンズ製品と前記保護シートとが交互に載置され、その載置されるレンズ製品の自重により各反り板が湾曲してその上面が前記製品支持面として機能するように、前記底板による前記反り板の支持高さが当該反り板の当該反り板の両側縁部よりも中央部で低く設定されていることを特徴とする請求項１に記載の梱包構造。
【請求項９】
最上段の支持枠の上端開口が天板にて閉じられていることを特徴とする請求項８に記載の梱包構造。
【請求項１０】
各反り板上のレンズ製品がそれぞれ個別に前記包装材にて包装されていることを特徴とする請求項８又は９に記載の梱包構造。
【請求項１１】
前記積み重ねられたレンズ製品の全体が他の包装材にて包装されていることを特徴とする請求項１０に記載の梱包構造。
【発明の詳細な説明】
【０００１】
【発明の属する技術分野】
本発明は、レンチキュラーレンズシートやフレネルレンズシート等のシート状のレンズ製品の出荷に適した梱包構造に関する。
【０００２】
【従来の技術】
レンチキュラーレンズやフレネルレンズのようなレンズシートはアクリル等の樹脂素材にて製造されているため、熱や湿度の変化に弱いという特性がある。従って、これらのレンズ製品をその製造工場から出荷する場合、上記の外的要因の影響を抑えて出荷時の形状や寸法精度をなるべく維持するような工夫が必要となる。
【０００３】
【発明が解決しようとする課題】
しかし、上記のようなシート状のレンズ製品を熱や湿度等の外的要因から保護するために好適な梱包構造はこれまで十分に検討されていなかった。
【０００４】
そこで、本発明は、樹脂製のシート状のレンズ製品を、熱や湿度等の環境の変化に対して保護でき、出荷時の形状や寸法をなるべく維持できる梱包構造を提供することを目的とする。
【０００５】
【課題を解決するための手段】
以下、本発明について説明する。なお、本発明の理解を容易にするために添付図面の参照符号を括弧書きにて付記するが、それにより本発明が図示の形態に限定されるものではない。
【０００６】
本発明の梱包構造は、湾曲する製品支持面（５ａ、４５ａ）上にシート状のレンズ製品（２，２２）と保護シート（７，８）とが交互に積み重ねられ、それら積み重ねられたレンズ製品が、所定の枚数を一単位として包装材（９，２４，２５，３３）で包装され、その包装されたレンズ製品の外周がスリーブ（１２）にて取り囲まれ、そのスリーブの上端開口が蓋（１３）で閉じられたシート状レンズ製品の梱包構造（１，２１，３１，４１）により、上述した課題を解決する。
【０００７】
この梱包構造によれば、湾曲した製品支持面上にレンズ製品を積み重ねるようにしたので、レンズ製品を適度に反った状態で出荷先まで送り届けることができる。レンズ製品同士の間には保護シートを設けるのでレンズ製品の擦れによる損傷が防がれる。さらに、レンズ製品を包装材で包んでいるのでレンズ製品が外部環境から隔離され、湿気や熱等の外的要因に起因する変形、変質からレンズ製品を効果的に保護することができる。包装されたレンズ製品がスリーブ及び蓋によってさらに囲まれるので上記の外的要因からレンズ製品がより一層確実に保護される。しかも、スリーブと蓋とが梱包構造の外殻として機能するので、輸送中の他の物品との接触等からレンズ製品が確実に保護される。
【０００８】
本発明の梱包構造においては、物流用のパレット（４）を含んだ製品載置台（３）を具備し、その製品載置台の前記パレットの上面に前記製品支持面を有する反り台（５）が設けられてもよい。この場合には、物流用のパレットに反り台を組み合わせるだけでレンズ製品に反りを与えることが可能な製品載置台を構成することができる。物流用のパレットはフォークリフト等で容易に搬送できるので、梱包後の取り扱いも容易である。
【０００９】
本発明の梱包構造においては、積み重ねられたレンズ製品の外側に、上下方向に延びる支柱（１１）がその積み重ねられたレンズ製品の全高に亘って添えられてもよい。このように構成すれば、支柱により、輸送振動による荷崩れの防止や製品の保護（割れや欠けの防止）を図ることができる。積み重ねられたレンズ製品に対する上下方向の荷重を支柱で受けてその荷重に対するレンズ製品の保護効果を高めることもできる。
【００１０】
本発明の梱包構造において、前記積み重ねられた全てのレンズ製品が前記一単位として前記包装材により包装されてもよい。あるいは、前記レンズ製品が前記所定の枚数毎に複数の単位に分割され、各単位毎に前記レンズ製品が前記包装材にて包装され、それら包装されたレンズ製品が前記製品支持面上に積み重ねられてもよい。前者の場合には包装材による包装を手際よく済ませることができ、後者の場合には包装の手間が増えるものの、レンズ製品をより確実に外部環境から隔離することができる。
【００１１】
前記積み重ねられたレンズ製品の上面には前記製品支持面と相補的な湾曲を有する上部押え（３４）が載置されてもよい。このようにすれば、レンズ製品を製品支持面に沿って確実に湾曲させてその反り形状の維持効果を高めることができる。
【００１２】
本発明の梱包構造においては、前記レンズ製品が載置される反り板（４５）と、その反り板を支持する支持手段（４７，４８）とを具備し、前記レンズ製品の自重により前記反り板が湾曲してその上面（４５ａ）が前記製品支持面として機能するように、前記支持手段による前記反り板の支持高さが当該反り板の当該反り板の両側縁部よりも中央部で低く設定されてもよい。
【００１３】
このようにレンズ製品の自重を利用して製品支持面を湾曲させるようにすれば、レンズ製品の湾曲に合わせた製品支持面を予め形成しておく手間が省略できる。
【００１４】
さらに、本発明の梱包構造においては、底板（４３）と、その底板の上面の外周に配置される支持枠（４４）と、その支持枠の内側に配置される反り板（４５）とをそれぞれ複数ずつ具備し、前記支持枠の上面に他の底板が載置されることによってこれら底板、支持枠及び反り板が複数段に亘って積み重ねられるとともに、それら積み重ねられる反り板のそれぞれの上面（４５ａ）には前記所定の枚数のレンズ製品と前記保護シートとが交互に載置され、その載置されるレンズ製品の自重により各反り板が湾曲してその上面が前記製品支持面として機能するように、前記底板による前記反り板の支持高さが当該反り板の当該反り板の両側縁部よりも中央部で低く設定されてもよい。
【００１５】
このようにすれば、上記と同様にレンズ製品の湾曲に合わせた製品支持面を予め形成しておく手間が省略できる。また、反り板と、支持枠と、その上面の底板とで囲まれた空間にレンズ製品を所定枚数毎に小分けして収納できるので、レンズ製品を外部環境からより確実に隔離することができる。支持枠と底板とが交互に積み重ねられることにより、上下方向の荷重をこれらの支持枠と底板とで受けてレンズ製品を保護することもできる。
【００１６】
なお、最上段の支持枠の上端開口は天板（４９）にて閉じてもよい。これにより、最上段の支持枠の内部に収容されたレンズ製品を確実に外部環境から隔離できる。各反り板上のレンズ製品はそれぞれ個別に前記包装材（３３）にて包装されてもよい。これにより、各レンズ製品を一層確実に外部環境から隔離できる。
前記積み重ねられたレンズ製品の全体をさらに他の包装材（９）にて包装した場合には、レンズ製品の保護効果をさらに高めることができる。
【００１７】
本発明の梱包構造はシート状に構成されたレンズ製品に広く適用でき、好適にはレンチキュラーレンズシートやフレネルレンズシート、あるいはこれらを組み合わせたプロジェクションスクリーンの梱包に使用できる。
【００１８】
本発明の梱包構造において、保護シートはレンズ製品同士、あるいはレンズ製品と製品支持面との擦れ等に起因するレンズ製品の損傷を防止できるものであればよく、例えば発泡樹脂にて構成されたシートを用いることができる。包装材は湿気や熱からレンズ製品を保護できるものであればよく、ポリエチレン等の樹脂にて構成された袋やシート状の包装材を用いることができる。紙を素材とする包装材を使用してもよく、好適にはクラフト紙のように撥水性を有する包装材を使用することができる。スリーブ及び蓋は湿気や熱を遮断すると同時に、梱包構造の外殻として機能するものであるため、防水性、断熱性を備えると同時にある程度の剛性を有する材料で構成することが望ましく、好適には段ボールにて構成することができる。より好ましくは、積層構造によって強化された段ボールをスリーブや蓋に使用するとよい。また、支柱についても梱包構造の強度を担う部分となることから、スリーブ等と同様にある程度の剛性を有する材料で構成することが望ましく、好適には段ボールにて構成することができる。より好ましくは、積層構造によって強化された段ボールを支柱に使用するとよい。
【００１９】
【発明の実施の形態】
−第１の実施形態−
図１及び図２は本発明をレンチキュラーレンズシートの梱包に適用した実施形態を示している。なお、レンチキュラーレンズシートは樹脂製のシートの表裏面に半円筒型の凸レンズを多数並べて形成したものであり、例えばプロジェクションテレビのスクリーンの観察者側に配置される（例えば特開平８−１５９９８８号公報参照）。
【００２０】
図１及び図２の梱包構造１は多数枚のレンチキュラーレンズシート２を出荷する際の梱包構造であって、その最下段には製品載置台３が配置されている。製品載置台３は木製又は樹脂製のパレット４と、そのパレット４の上面に設けられた反り台５とを備えている。パレット４は、一般の物流において使用されているパレットをそのまま利用するものであって、フォークリフト等の搬送手段によって搬送可能である。反り台５はパレット４の上面に例えば接着剤や釘等の固定手段を用いて固定される。反り台５はベニヤ板等の木質合板を用いて成形することができる。パレット４又は反り台５の少なくともいずれか一方を段ボール等の紙素材にて構成してもよい。
【００２１】
図２に詳しく示したように、反り台５の上面は製品支持面５ａとして構成される。製品支持面５ａには、そこに載置されるレンズ製品（この実施形態ではレンチキュラーレンズシート２）に与えるべき反り形状に応じて湾曲が付されている。図２の例では、レンチキュラーレンズシート２の一辺と平行な方向に沿って一様な湾曲が製品支持面５ａに与えられているが、その湾曲形状はレンチキュラーレンズシート２に与えるべき湾曲形状に応じて適宜変更してよい。
【００２２】
製品支持面５ａには積み荷として梱包品６が載置されている。梱包品６は次のように構成されている。まず梱包品６の最下段には所定枚数（例えば４枚（図では２枚のみ示す。））のミラーマット７が載置される。ミラーマット７の上部には合紙８とレンチキュラーレンズシート２とが一枚ずつ交互に積み重ねられている。一つの梱包品６に含まれるレンチキュラーレンズシート２の枚数は例えば２００枚である。合紙８のうち、所定枚数毎（例えば１０枚毎）の区切り位置に配置される合紙８は、他の合紙８とは異なる色に着色されて区切り合紙として機能する。梱包品６の最上段には再び所定枚数（例えば３枚）のミラーマット７が配置される。ミラーマット７及び合紙８はレンチキュラーレンズシート２の擦れ等に起因する損傷を防止するための保護シートとして機能するものであり、例えば発泡ポリエチレンシートを使用することができる。
【００２３】
以上のようにして積み重ねられたレンチキュラーレンズシート２及び合紙８は包装材としての梱包袋９にて包まれる。梱包袋９の上端は図１に示すように折り畳まれ、その折り畳み部分がクラフトテープのような粘着テープ１０で封じられて梱包袋９の内部が密封される。これにより梱包品６が完成する。なお、梱包品６の下側に配置される複数枚のミラーマット７は梱包袋９と製品支持面５ａとの間に介在する。従って、梱包手順としては、まず、ミラーマット７を製品支持面５ａ上に載置し、次に梱包袋９をミラーマット７の上に広げて置き、その上に合紙８とレンチキュラーレンズシート２とを交互に積み重ねることになる。梱包袋９には例えばポリエチレン袋が用いられる。
【００２４】
以上のようにして梱包品６が完成すると、その四隅にはミラーブロック１１…１１が梱包品６の全高に亘って添えられる。ミラーブロック１１は例えば段ボールにて構成され、輸送振動による荷崩れの防止や製品の保護（割れや欠けの防止）を目的として設けられる。上下方向からの圧縮荷重に対して梱包品６を保護する機能をミラーブロック１１に与えてもよい。ミラーブロック１１は四隅に限らず、梱包品６の外周の適宜の位置に設けてよい。但し、梱包品６の保護効果を最大限に得るためにはミラーブロック１１を四隅に配置することが望ましい。
【００２５】
梱包品６の外周には、ミラーブロック１１の外側からスリーブ１２が被せられる。梱包品６の上部には蓋１３が被せられ、その蓋１３の外周はスリーブ１２の上端部に対して外側から嵌合する。以上により梱包構造１が完成する。スリーブ１２及び蓋１３はそれぞれ段ボールにて構成される。スリーブ１２の外周には梱包内容等を特定するためのラベル１４が貼り付けられる。
【００２６】
以上の構成によれば、レンチキュラーレンズシート２同士又はレンチキュラーレンズシート２と反り台５との擦れがミラーマット７や合紙８にて防止される。また、梱包袋９により梱包品６の内部が密封されるので、外部の湿気や熱からレンズ製品が保護される。その保護効果はスリーブ１２及び蓋１３によってさらに高められる。また、スリーブ１２や蓋１３により、搬送中の他の物品との接触等に対してレンチキュラーレンズシート２が保護される。
【００２７】
−第２の実施形態−
図３及び図４は本発明をフレネルレンズシートの梱包に適用した実施形態を示している。なお、これらの図において、図１及び図２との共通部分には同一符号を付してある。共通部分に関しては特に断らない限り上述した図１及び図２に関する説明がそのまま適用される。フレネルレンズシートは樹脂製のシートの表面に多数のレンズ要素を階段状に並べたものであり、例えばプロジェクションテレビのスクリーンの光源側に配置される（例えば特開２０００−２３５２３０号公報参照）。
【００２８】
図３及び図４の梱包構造２１は多数枚のフレネルレンズシート２２を出荷する際の梱包構造であって、上述した図１の梱包構造１に対しては製品支持面５ａに載置されるべき梱包品２３の構造が異なっている。なお、製品支持面５ａにはフレネルレンズシート２２に与えるべき湾曲が付されている。
【００２９】
梱包品２３は次のように構成されている。まず梱包品２３の最下段には所定枚数（例えば４枚（図では２枚のみ示す。））のミラーマット７が載置される。ミラーマット７の上にはポリシート（ポリエチレン製のシート材）２４が載置され、そのポリシート２４の上に合紙８とフレネルレンズシート２２とが一枚ずつ交互に積み重ねられている。一つの梱包品２３に含まれるフレネルレンズシート２２の枚数は例えば１００枚である。合紙８のうち、所定枚数毎（例えば１０枚毎）の区切り位置に配置される合紙８は、他の合紙８とは異なる色に着色されて区切り合紙として機能する。
【００３０】
梱包品２３の上段には再び所定枚数（例えば３枚）のミラーマット７が配置される。ミラーマット７及び合紙８はフレネルレンズシート２２の擦れ等に起因する損傷を防止するためのものであり、例えば発泡ポリエチレンシートを使用することができる。上側のミラーマット７のさらに上側にはポリシート２４が載置される。
【００３１】
以上のようにして積み重ねられたフレネルレンズシート２２等は、図３に示すようにその外側からストレッチフィルム２５にて覆われる。そのストレッチフィルム２５の上面にはポリシート２４が重ね合わされてテープ１０で固定される。ストレッチフィルム２５は例えば低密度ポリエチレンにて構成される。以上により梱包品２３が完成する。
【００３２】
完成した梱包品２３の四隅にはミラーブロック１１…１１があてがわれ、その外側からスリーブ１２が被せられ、さらにその上方から蓋１３が被せられて梱包構造２１が完成する。この実施形態では、ポリシート２４及びストレッチフィルム２５が、梱包品２３内のフレネルレンズ２２を湿気や熱等の外部環境から隔離するための包装材として機能する。
【００３３】
−第３の実施形態−
図５〜図７は本発明の他の実施形態を示している。なお、これらの図において、図１〜図４との共通部分には同一符号を付してある。共通部分に関しては特に断らない限り上述した図１〜図４に関する説明がそのまま適用される。
【００３４】
図５に示す梱包構造３１では、製品載置台３の製品支持面５ａ上に複数の梱包品３２…３２が積み重ねられている。図６及び図７に示すように、梱包品３２はレンチキュラーレンズシート２と合紙８とを一枚ずつ交互に所定枚数に亘って積み重ね、その積み重ねられたレンチキュラーレンズシート２を包装材としてのクラフト紙３３で包み込んで構成されている。一つの梱包品３２に含まれるレンチキュラーレンズシート２の枚数は上述した図１〜図４の例よりも遙かに少なく、例えば５枚である。つまり、この実施形態では５枚のレンチキュラーレンズシート２で一つの単位が構成される。
【００３５】
クラフト紙３３には、梱包品３２の上部の両側においてレンチキュラーレンズシート２の一対の側縁に沿って折り返し部３２ａ，３２ａが形成されている。クラフト紙３３の合わせ部分はクラフトテープ等の粘着テープにて封印してもよいし、折り返すのみで特に封印しないままでもよい。
【００３６】
以上のように構成された梱包品３２は、図５に示すように反り台５の製品支持面５ａ上に複数段積み重ねられる。最上段の梱包品３２の上面には上部押え３４が載置される。上部押え３４は互いに平行に配置された複数の脚板３４ａ…３４ａをそれらと直交する複数の桁板３４ｂ…３４ｂで相互に連結した構造を有している。各脚板３４ａの下端面３４ｃは製品置き台４の製品支持面５ａに対して相補的に湾曲する。つまり、脚板３４ａの下端面３４ｃは製品支持面５ａと密着可能な凸円弧面として構成される。
【００３７】
従って、上部押え３４の設置により、積み重ねられた梱包品３２内のレンチキュラーレンズシート２は製品支持面５ａに沿って湾曲するように上から押さえ付けられる。上部押え３４の設置後、積み重ねられた梱包品３２の外周にスリーブ１２が装着され、その上端開口部が蓋１３で閉じられて梱包構造３１が完成する。
【００３８】
なお、本実施形態において、積み重ねられた梱包品３２の四隅又はそれ以外の外周に図１に示したものと同様のミラーブロック１１を配置してもよい。レンチキュラーレンズシート２に代えてフレネルレンズシートを同様の構造で梱包してもよい。上部押え３４は上述した第１又は第２の実施形態においても使用可能である。
【００３９】
−第４の実施形態−
図８〜図１１は本発明をプロジェクションスクリーンの梱包に適用した実施形態を示している。なお、これらの図において、図１〜図７との共通部分には同一符号を付してある。共通部分に関しては特に断らない限り上述した図１〜図７に関する説明がそのまま適用される。プロジェクションスクリーンは上述したレンチキュラーレンズシートとフレネルレンズシートとを組み合わせたものである。
【００４０】
図８に示す梱包構造４１では、上述した反り台５が省略されてパレット４のみが製品載置台３として使用され、その上に複数の梱包品４２が積み重ねられる。梱包品４２は、その内部に梱包されるレンズ製品がプロジェクションスクリーンに置換される点を除いて、図６及び図７に示した梱包品３２と同じである。梱包品４２の積み重ねは、図９に示すように行われる。
【００４１】
まず、梱包品４２の下側には底板４３が配置され、その上面の外周に支持枠４４が載置される。支持枠４４の内側には反り板４５が配置され、その上面４５ａに梱包品４２が配置される。これら底板４３，支持枠４４及び反り板４５そして梱包品４２によって一つの梱包セット４６が形成され、その梱包セット４６が複数段積み重ねられる。
【００４２】
図１０にも示したように、底板４３の上面の両側には一対の桁材４７，４７が取り付けられ、反り板４５の下面には桁材４７，４７の中間に位置するようにして桁材４８が取り付けられる。底板４３の桁材４７，４７は互いに同形同大であるが、反り板４５の桁材４８はそれらの底板４３の桁材４７と比較して高さが低い。反り板４５はその両側縁部が桁材４７に当接して底板４３上に支持されている。
【００４３】
反り板４５に梱包品４２が載置されるとその重みで反り板４５がその両端の桁材４７による支持部を支点として下方に弓形に湾曲し、反り板４５の下面の桁材４８が底板４３の上面に接する。この状態で梱包品４２内のプロジェクションスクリーンに適切な反りが与えられるように桁材４７，４８の高さの差が設定されている。支持枠４４は底板４３の桁材４７よりもさらに外側に嵌め合わされており、その上端は反り板４５に支持された梱包品４２の上端とほぼ等しいか僅かに高い位置にある。この支持枠４４の上端に次の段の梱包セット４６の底板４３が載置される。このようにして梱包セット４６が所定数積み重ねられる。最上段の梱包セット４６の支持枠４４の上端には段ボール等で構成した天板４９が載置され、それにより最上段の支持枠４４の内部が塞がれる。
【００４４】
以上のようにしてパレット４上に積載された梱包セット４６は図１及び図２に示したものと同様の梱包袋９にて包まれる。なお、梱包手順としては梱包セット４６を置く前にパレット４上に梱包袋９を広げて置くことになる。梱包袋９の開口部は梱包セット４６の上面で折り畳まれ、その折り畳み部分は図１の実施形態と同様に粘着テープ１０にて封じられる。積み重ねられた梱包セット４６の外側にはスリーブ１２が配置され、その上端開口に蓋１３が被せられる。これにより梱包構造４１が完成する。
【００４５】
なお、この実施形態では反り板４５の上面４５ａが製品支持面として機能する。底板４３、支持枠４４、反り板４５及び天板４９は例えば段ボールにて構成する。それ以外の材料、例えばベニヤ板のような合板を使用してもよい。段ボールのように曲げ易さに異方性が存在する材料にて反り板４５を構成する場合には、その素材の曲げ易い方向と反り板４５が反る方向（桁材４８と直交する方向）とを一致させるとよい。桁材４７，４８は、例えば発泡ウレタンのように軽量でかつ多数の梱包品４２の重さに耐え得る適度の剛性を有する材料にて構成するとよい。
【００４６】
本発明の梱包構造は以上の実施形態に限定されることなく、種々の形態にて実施してよい。例えば、レンズ製品はレンチキュラーレンズシート、フレネルレンズシート又はこれらを組み合わせたプロジェクションスクリーンに限定されることなく、レンズ作用を有しかつシート状に構成されたものであれば、種々な製品がレンズ製品の概念に含まれる。包装材としてのポリエチレン袋等の内部に乾燥剤を所定量使用してもよい。
【００４７】
【発明の効果】
以上に説明したように、本発明の梱包構造によれば、湾曲した製品支持面上にレンズ製品を積み重ねるようにしたので、レンズ製品を適度に反った状態で出荷先まで送り届けることができる。レンズ製品同士の間には保護シートを設けるのでレンズ製品の擦れによる損傷が防がれる。さらに、レンズ製品を包装材で包んでいるのでレンズ製品が外部環境から隔離され、湿気や熱等の外的要因に起因する変形、変質からレンズ製品を効果的に保護することができる。包装されたレンズ製品がスリーブ及び蓋によってさらに囲まれるので上記の外的要因からレンズ製品がより一層確実に保護される。しかも、スリーブと蓋とが梱包構造の外殻として機能するので、輸送中の他の物品との接触等からレンズ製品が確実に保護される。
【図面の簡単な説明】
【図１】本発明の第１の実施形態に係る梱包構造の一部分解斜視図。
【図２】図１の梱包構造の縦断面図。
【図３】本発明の第２の実施形態に係る梱包構造の一部分解斜視図。
【図４】図３の梱包構造の縦断面図。
【図５】本発明の第３の実施形態に係る梱包構造の一部分解斜視図。
【図６】図５の梱包構造に使用される梱包品の縦断面図。
【図７】図６の梱包品の斜視図。
【図８】本発明の第４の実施形態に係る梱包構造の一部分解斜視図。
【図９】図８の梱包構造にて使用される梱包セットの分解斜視図。
【図１０】図８の梱包構造の縦断面図。
【符号の説明】
１  梱包構造
２  レンチキュラーレンズシート（レンズ製品）
３  製品置き台
４  パレット
５  反り台
５ａ  製品支持面
６  梱包品
７  ミラーマット（保護シート）
８  合紙（保護シート）
９  梱包袋（包装材）
１０  粘着テープ
１１  ミラーブロック
１２  スリーブ
１３  蓋
１４  ラベル
２１  梱包構造
２２  フレネルレンズシート（レンズ製品）
２３  梱包品
２４  防水シート（包装材）
２５  ストレッチフィルム（包装材）
３１  梱包構造
３２  梱包品
３３  クラフト紙（包装材）
３４  上部押え
４１  梱包構造
４２  梱包品
４３  底板
４４  支持枠
４５  反り板
４５ａ  反り板の上面（製品支持面）
４６  梱包セット
４７，４８  桁材（支持手段）
４９  天板
【図１】
0004608075.tif 000002
【図２】
0004608075.tif 000003
【図３】
0004608075.tif 000004
【図４】
0004608075.tif 000005
【図５】
0004608075.tif 000006
【図６】
0004608075.tif 000007
【図７】
0004608075.tif 000008
【図８】
0004608075.tif 000009
【図９】
0004608075.tif 000010
【図１０】
0004608075.tif 000011